(57)【要約】      （修正有）【課題】犬や猫といったペット及びハクビシンやイタチ、アライグマ、狸などの小動物が、花壇や菜園、家庭の庭に侵入するのを防止し、簡単に設置することができる金網を提供する。【解決手段】小動物が通れない狭い間隔Ｐ、Ｐに配置した縦方向鉄線１、１と、縦方向鉄線の間隔の二倍以上の広い間隔ｈ、ｈに配置した横方向鉄線２、２の交点を溶接して縦長方形の網目３である金網４を形成する。この金網は左右側辺から横方向鉄線の先端が、上辺から縦方向鉄線の先端が突出しないように形成し、下辺は最下位の横方向鉄線から縦方向鉄線が地面への差し込み寸法を下方へ突出させる。金網全体の外表面にコーティングを施すのが好ましい。【選択図】図１
0003160787.tif 000002
【実用新案登録請求の範囲】
【請求項１】
猫や犬などのペット及びハクビシンやイタチ、アライグマ、狸などの小動物が通れない狭い間隔に配置した縦方向鉄線と、縦方向鉄線の間隔の二倍以上の広い間隔に配置した横方向鉄線の交点を溶接して縦長方形の網目である金網を形成し、該金網は左右側辺から横方向鉄線の先端が、上辺から縦方向鉄線の先端が突出しないように形成するとともに、下辺は最下位の横方向鉄線から縦方向鉄線が地面への差し込み寸法を下方へ突出させたことを特徴とする小動物侵入防止用金網。
【請求項２】
縦方向鉄線及び横方向鉄線は何れも直径４mmの線径とし、全体の高さ80cm、全体の横幅100cm〜150cmとし、縦方向鉄線の間隔を5.5cm、横方向鉄線の間隔を15cm、縦方向鉄線の下方への突出寸法を5cmとしたことを特徴とする請求項１記載の小動物侵入防止用金網。
【請求項３】
金網全体の外表面にコーティング層を形成したことを特徴とする請求項１又は２記載の小動物侵入防止用金網。
【考案の詳細な説明】
【技術分野】
【０００１】
本考案は、犬や猫といったペット及びハクビシンやイタチ、アライグマ、狸などの小動物が、例えば花壇や菜園に侵入するのを防止するネットに関するものである。
【背景技術】
【０００２】
例えば自宅の庭や貸し農園（家庭菜園）においては、犬や猫といったペットあるいはハクビシンやイタチ、アライグマ、狸などの小動物が主として排便、排尿等のために侵入し、花や野菜を駄目にする被害が頻発する。特に、猫は綺麗に整地された苗床などの場所を好んで排便し、土を掘り起こす習性があるため被害は甚大である。また、家庭の庭などにおいて、犬や猫といったペットその他の小動物が侵入しては困る場所に、侵入することが多かったが、これを効果的に防止することが困難であった。
【０００３】
従来、犬や猫といったペットなどの小動物の侵入を効果的に、かつ手軽に防止する手段がなかった。犬や猫の侵入を防止する方法として、例えば合成樹脂製の棘状ネットを敷設する方法や、薬剤による侵入防止や特許文献２に示されるように超音波による撃退などが試みられている。しかしながら、いずれの方法も、小動物の侵入を確実に防止することができるものではなかった。
特許文献１には屋内で飼育するペットの行動範囲を制限するため廊下などに配置し、対向する壁間を閉鎖するフェンスの発明が、特許文献３には廊下などに配置するペット侵入防止柵の発明が開示されている。
【先行技術文献】
【特許文献】
【０００４】
【特許文献１】実用新案登録第３０７８０６６号公報
【特許文献２】実用新案登録第３０４０２９５号公報
【特許文献３】実用新案登録第３０７８０６６号公報
【特許文献４】特開２００９−２４７３１４号公報
【考案の概要】
【考案が解決しようとする課題】
【０００５】
上記、従来技術の欠点に鑑み、本考案は主として屋外において、侵入しては困る領域に犬や猫といったペットその他の小動物が侵入するのを効果的に防止することができる、小動物侵入防止用金網を実現することを目的とするものである。また、本考案の別の目的は、上記小動物侵入防止用金網が、手軽に取り扱うことが出来るとともに、比較的安価に提供することがでる構造によって実現することを目的とするものである。
【考案の開示】
【課題を解決するための手段】
【０００６】
請求項１記載の本考案は、猫や犬などのペット及びハクビシンやイタチ、アライグマ、狸などの小動物が通れない狭い間隔Ｐ,Ｐに配置した縦方向鉄線１、１と、縦方向鉄線の間隔の二倍以上の広い間隔ｈ,ｈに配置した横方向鉄線２、２の交点を溶接して縦長方形の網目３、３である金網４を形成する。この金網４は、左右側辺から横方向鉄線２の先端が、上辺から縦方向鉄線１の先端が突出しないように形成するとともに、下辺は最下位の横方向鉄線１から縦方向鉄線１を地面への差し込み寸法Ｘだけ下方へ突出させている。
【０００７】
請求項２記載の本考案は、縦方向鉄線１及び横方向鉄線２を何れも直径４mm程度の線径とし、全体の高さＨを80cm程度、全体の横幅Ｗを100cm〜150cm程度とし、縦方向鉄線１、１の間隔Ｐを5.5cm程度、横方向鉄線２、２の間隔ｈを15cm程度、縦方向鉄線１の下方への突出寸法を5cm程度とすることである。
【０００８】
請求項３記載の本考案は、金網全体の外表面にコーティング６を施したことを特徴とする請求項１又は２記載の小動物侵入防止用金網。
【考案の効果】
【０００９】
請求項１記載の本考案によれば、ペット及びハクビシンやイタチ、アライグマ、狸などの小動物の侵入を防止したい場所に立設することによって効果的に小動物の侵入を防止することができる。本考案、小動物侵入防止用金網を設置するには、金網４設置場所に配置し、任意の支柱５や杭などに、例えば紐や針金を用いて固定する。あるいは任意の固定具を用いることによって簡単に設置することができる。このように、請求項１記載の本考案によれば、庭、菜園や花壇において、金網４を固定するための支柱として、容易に入手することができる園芸用支柱を利用することができる。
【００１０】
本考案に係る金網４は、左右両側辺及び上辺の三方において、横方向鉄線２及び縦方向鉄線１の先端が突出していないため、ペットなどの小動物に対してあるいは取り扱う人に対して安全であるとともに、取り扱う場合に他のものに引っ掛かるようなことがなく取り扱いに便利である。また、本考案に係る金網４は、縦方向鉄線１、１の間隔が狭いことから、ペットなどの小動物の通過を確実に防止し、横方向の間隔を広くすることから、全体を軽量化することができるとともに、網目３が縦長であることから小動物がよじ登るのを防止することがでる。
【００１１】
請求項２記載の考案によれば、全体として例えば３〜４kg程度で人の手によって取り扱い易い重量とすることができるとともに、車にのせて例えば離れた家庭菜園まで容易に運ぶことができる。
【００１２】
請求項３記載の考案によれば、屋外での使用に際して防錆効果があるとともに、縦横の鉄線が露出しないため、ペットなどの小動物を取り扱う人に対してより安全である。
【図面の簡単な説明】
【００１３】
【図１】図１は本考案に係る小動物侵入防止用金網の実施形態を示す正面図、
【図２】図２は図１のII−II線拡大断面図、
【図３】図３は、図１に示す小動物侵入防止用金網を使用して、一定の領域を囲う使用状態を示す斜視図、
【図４】図４は図１に示す小動物侵入防止用金網を用いて、一定幅の通路などを閉鎖する使用状態を示す正面図、
【図５】図５は図１に示す小動物侵入防止用金網を連続的に設置する使用状態を示す正面図。
【考案を実施するための最良の形態】
【００１４】
以下、本考案に係る小動物侵入防止用金網の実施形態を添付の図面に基づいて説明する。
図１は本考案に係る小動物侵入防止用金網の実施形態を示す正面図、図２は図１のII−II線拡大断面図である。
【００１５】
この金網４は、猫や犬などのペット及びハクビシンやイタチ、アライグマ、狸などの小動物が通れない狭い間隔に配置した縦方向鉄線１、１と、縦方向鉄線１、１の間隔Ｐ、Ｐの二倍以上の広い間隔ｈ、ｈに配置した横方向鉄線２、２の交点を溶接して縦長方形の網目３、３である小動物侵入防止用の金網４を形成する。金網は、作業者やペットなどの小動物にとって安全が確保されるように、左右側辺から横方向鉄線の先端が、上辺から縦方向鉄線の先端が突出しないように形成する。
【００１６】
縦方向鉄線１、１の間隔Ｐは小動物が通れない狭い間隔ではあるが、具体的には猫が通れない間隔を考慮して5.5cm程度とする。縦方向鉄線１、１の間隔Ｐによって小動物の通行を阻止すれば、横方向鉄線２、２の上下の間隔ｈは、広くても機能的に支障はない。そして、間隔ｈを広くすることによって、小動物が乗り越えようとする場合の足がかりを少なくするとともに、金網４全体の重量を減少させることができる。
【００１７】
金網４全体の外表面には、例えばエポキシやアクリルといった高分子樹脂の粉体塗装によってコーティング６を施しておく。コーティング６を施すことによって金網の防錆効果がある。防錆効果を得るためには、例えばクロームメッキを施すことも考えられるが、樹脂によるコーティングを施すことによってペットや、金網の使用者にとって、金属が露出せず安全であるという効果があり、色彩による美的効果を実現することもできる。コーティング６は、液状塗装によるものであってもよいが、静電粉体塗装とすることによって、優れた塗膜強度、耐化学薬品性、耐食性、耐候性を実現することができとともに、効率的な製造が可能であって、安価に提供することができる。
【００１８】
本考案に係る金網は、取り扱い易さとペットの侵入を防止する効果によってその大きさや線径を決定することができる。本考案者らの実験によれば、縦方向鉄線１及び横方向鉄線２は何れも直径４mm程度の線径とし、全体の高さＨを80cm程度、全体の横幅Ｗが100cm〜150cm程度であって、縦方向鉄線１、１の間隔Ｐを5cm程度、横方向鉄線２、２の間隔ｈを15cm程度としたときに、全重量３〜４kg程度の扱い易い金網を実現することができた。
なお、縦方向鉄線１、１の下方への突出寸法を5cm程度とすることによって金網の下端部分を少し土中に突き刺し、設置した場合に安定させるとともに隙間の発生を防止することができる。
【００１９】
本考案に係る小動物侵入防止用金網４は、図３に示すように一定の領域Ａに小動物が侵入しないように囲うように設置することができる。図３に示す使用状態は、領域Ａとして例えば花壇や菜園の播種直後の部分を金網４で囲うことによって猫や犬などの侵入を防止する。図３に示す使用状態では、金網で囲おうとする領域Ａの四隅に、支柱５、５を差し込んで領域Ａを四枚の金網４、４で囲い、縦方向鉄線１、１の下端を少し土中に差し込んで安定させる。この状態で、針金や紐のような結束具７によって支柱５と隣接する金網４、４の側端部を結束することによって領域Ａを完全に囲う小動物侵入防止用金網を設置することができる。
図３に示すように、金網４で四周を囲った領域Ａは小動物が侵入できない領域であるが、領域Ａにペットを入れれば、例えばペットを連れた移動先における簡易なペット用ゲージとして利用することもできる。
【００２０】
図４は、柱や塀８に挟まれた通路など、長さＬの範囲全体を閉鎖する使用状態を示すものである。図４に示す設置状態は、長さＬが金網４の横幅Ｗよりも広く、二倍よりも狭いものであって、二枚の金網４、４を配置する使用状態を示している。図４に示す使用状態に金網を設置するには、長さＬの範囲の両端及び中間位置の三箇所に、支柱51、52、53を立設し、支柱51、53の間に金網41を、支柱52、53の間に金網42を配置し、支柱と金網を結束することによって小動物侵入防止金網を設置する。
【００２１】
図５に示す使用状態は、直線的な連続状態に小動物侵入防止金網を設置する使用状態、例えば敷地の外周に金網を設置する使用状態を示すものである。この使用状態では、金網の横幅Ｗと等しい間隔に支柱51、52を立設し、支柱51、52間に金網４1を配置するとともに、左右両側方にそれぞれ金網42、43を配置し、それぞれの場所において、支柱と金網を結束することによってペット類侵入防止金網の設置が完了する。
【符号の説明】
【００２２】
１…縦方向鉄線、  ２…横方向鉄線、  ３…網目、  ４…金網、  ５…支柱、  ６…合成樹脂コーティング、  ７…結束具、  ８…塀、  Ａ…領域。
【図１】
0003160787.tif 000003
【図２】
0003160787.tif 000004
【図３】
0003160787.tif 000005
【図４】
0003160787.tif 000006
【図５】
0003160787.tif 000007
【手続補正書】
【提出日】平成22年4月23日(2010.4.23)
【手続補正１】
【補正対象書類名】明細書
【補正対象項目名】００１８
【補正方法】変更
【補正の内容】
【００１８】
本考案に係る金網は、取り扱い易さとペットの侵入を防止する効果によってその大きさや線径を決定することができる。本考案者らの実験によれば、縦方向鉄線１及び横方向鉄線２は何れも直径４mm程度の線径とし、全体の高さＨを80cm程度、全体の横幅Ｗが100cm〜150cm程度であって、縦方向鉄線１、１の間隔Ｐを5.5cm程度、横方向鉄線２、２の間隔ｈを15cm程度としたときに、全重量３〜４kg程度の扱い易い金網を実現することができた。なお、縦方向鉄線１、１の下方への突出寸法を5cm程度とすることによって金網の下端部分を少し土中に突き刺し、設置した場合に安定させるとともに隙間の発生を防止することができる。